(57)【要約】【課題】長期保存を可能とする吸水性ポリマーを使用した土のう袋、土のう袋の形成方法、および土のうの形成方法を提供することを目的とする。【解決手段】粉末状の高吸水性樹脂１３１で構成される吸水体１３０が水２００を吸水し、粉末状の高吸水性樹脂１３１で構成される吸水体１３０をビニール製の内袋１２０が収容し、織布製の外袋１１０が粉末状の高吸水性樹脂１３１で構成される吸水体１３０を収容し、アルミ蒸着袋である真空包装袋１４０が織布製の外袋１１０の外側から内部を真空状態に保ったまま被覆する。【選択図】図１
2019082046.tif 000002
【特許請求の範囲】
【請求項１】
吸水した水を内容物とする吸水性の土のう袋において、
前記水を吸水する吸水体と、
前記吸水体を収容する織布製の外袋と、
前記外袋の外側から内部を真空状態で被覆する真空包装袋と、
を備えることを特徴とする吸水性の土のう袋。
【請求項２】
前記真空包装袋は、
アルミ蒸着袋であることを特徴とする請求項１記載の土のう袋。
【請求項３】
前記吸水体は、
粉末状の高吸水性樹脂であることを特徴とする請求項１記載の土のう袋。
【請求項４】
前記吸水体と前記外袋の間に、前記吸水体を収容する不透水性の内袋、
を備えることを特徴とする請求項１記載の土のう袋。
【請求項５】
前記内袋は、
ビニール袋であることを特徴とする請求項４記載の土のう袋。
【請求項６】
前記吸水体に注水する際に適切な注水量を示す注水線、
を備えることを特徴とする請求項１記載の土のう袋。
【請求項７】
前記外袋と前記真空包装袋との間に、緩衝材、
を備えることを特徴とする請求項１記載の土のう袋。
【請求項８】
吸水した水を内容物とする吸水性の土のう袋の形成方法において、
織布製の外袋に前記水を吸水する吸水体を収容する工程と、
真空包装袋内に前記外袋を収容する工程と、
前記真空包装袋内を真空にする工程と、
前記真空包装袋内を真空にしたまま密閉する工程と、
を備えることを特徴とする吸水性の土のう袋の形成方法。
【請求項９】
吸水した水を内容物とする吸水性の土のうの形成方法において、
前記水を吸水する吸水体と、
前記吸水体を収容する織布製の外袋と、
前記外袋の外側から内部を真空状態で被覆する真空包装袋と、
を備え、
前記真空包装袋を開封する工程と、
前記内袋に水を注水する工程、
を備えることを特徴とする土のうの形成方法。
【発明の詳細な説明】
【技術分野】
【０００１】
本発明は、土のう袋、土のう袋の形成方法、および土のうの形成方法に関し、特に吸水した水を内容物とする土のう袋、土のう袋の形成方法、および土のうの形成方法に関する。
【背景技術】
【０００２】
従来から、布袋の中に土砂を詰めて用いる土木資材である土のうが知られている。土のうは、麻袋などの布袋に土砂を詰めて縛り、それらを並べて積み上げることで、大雨時の河川氾濫を防いだり、建物内への浸水を防止したりすることができる。
【０００３】
土砂を詰める土のうは、大量の土砂を必要とするため、災害時用に大量の土砂を保管しておく必要がある。近年では、土砂を布袋内に詰める作業を軽減したり、布袋内に詰める土砂の保管領域を少なくしたりするため、土砂を布袋内に詰めない吸水性ポリマーを使用した土のう袋が開発されている（たとえば、特許文献１参照）。
【０００４】
この土砂を布袋内に詰めない吸水性ポリマーを使用した土のう袋は、あらかじめ布袋の中に吸水性ポリマーを入れて保管しておき、災害時などに布袋の中に水を布袋内に水を入れることで、吸水性ポリマーが大量の水を吸収して布袋内でゼリー状になるため、土のうとしての機能を果たすことが出来るようになっている。
【先行技術文献】
【特許文献】
【０００５】
【特許文献１】特開２００１−５９２１１号公報
【発明の概要】
【発明が解決しようとする課題】
【０００６】
しかし、水分を吸収する吸水性ポリマーは、空気中の水分までも吸収してしまうため保存性がよくない問題があった。
吸水性ポリマーを使用した土のうは、災害時にすばやく土のうを形成するために、土のう内に入れた水を吸水性ポリマーにすばやく吸収させて固化する必要がある。このため、あらかじめ布袋の中に入れておく吸水性ポリマーは、吸水スピードが速ければ速いほど、すばやく土のうが形成できることになる。
【０００７】
ところが、吸水性ポリマーの吸水スピードが速いと、災害時以外で土のう袋を保管している間に、布袋の中に吸水性ポリマーが空気中の水分を吸収してしまう問題がある。通常、土のう袋は複数まとめて保管するが、空気中の水分を吸収した土のう袋は体積を増し、複数束ねて保管しておいた土のう袋が崩れ落ちたり、布袋の中に収容した吸水性ポリマーが漏れ出してしまったりすることがあった。
また、保管中に体積が増加してしまう吸水性ポリマーを使用した土のう袋は、余裕のある保管スペースが必要となり、保管スペースが増大してしまう原因となっていた。
【０００８】
また、空気中の水分を吸収した吸水性ポリマーを布袋の中で長期保存すると、空気中の微生物により布袋の中でカビなどが増殖してしまい、非常に不衛生であった。また増殖したカビなどの微生物により、布袋が劣化してしまうため、必要時に布袋内に水を収容できなくなってしまう問題があった。
【０００９】
吸水性ポリマーの吸水スピードを低減させることで、長期保存を可能とすることも考えられるが、吸水スピードを低減させた吸水性ポリマーは、いざ災害現場などで土のうを使用する際、吸水性ポリマーの吸水スピードが遅いため、土のうの形成するために多くの時間を必要となってしまい、根本的な解決には至らなかった。
【００１０】
本発明はこのような点に鑑みてなされたものであり、長期保存を可能とする吸水性ポリマーを使用した土のう袋、土のう袋の形成方法、および土のうの形成方法を提供することを目的とする。
【課題を解決するための手段】
【００１１】
本発明では上記問題を解決するために、吸水した水を内容物とする吸水性の土のう袋において、前記水を吸水する吸水体と、前記吸水体を収容する織布製の外袋と、前記外袋の外側から内部を真空状態で被覆する真空包装袋とを備えることを特徴とする吸水性の土のう袋が提供される。
これにより、吸水体が水を吸水し、織布製の外袋が吸水体を収容し、真空包装袋が外袋の外側から内部を真空状態で被覆する。
【００１２】
また、本発明では、吸水した水を内容物とする吸水性の土のう袋の形成方法において、織布製の外袋に前記水を吸水する吸水体を収容する工程と、真空包装袋内に前記外袋を収容する工程と、前記真空包装袋内を真空にする工程と、前記真空包装袋内を真空にしたまま密閉する工程とを備えることを特徴とする吸水性の土のう袋の形成方法が提供される。
これにより、織布製の外袋に水を吸水する吸水体を収容し、真空包装袋内に外袋を収容し、真空包装袋内を真空にし、真空包装袋内を真空にしたまま密閉する。
【００１３】
また、本発明では、吸水した水を内容物とする吸水性の土のうの形成方法において、前記水を吸水する吸水体と、前記吸水体を収容する織布製の外袋と、前記外袋の外側から内部を真空状態で被覆する真空包装袋とを備え、前記真空包装袋を開封する工程と、前記内袋に水を注水する工程を備えることを特徴とする土のうの形成方法が提供される。
これにより、水を吸水する吸水体と、吸水体を収容する織布製の外袋と、外袋の外側から内部を真空状態で被覆する真空包装袋とを備え、真空包装袋を開封し、内袋に水を注水する。
【発明の効果】
【００１４】
本発明の土のう袋、土のう袋の形成方法、および土のうの形成方法によれば、吸水体が水を吸水し、織布製の外袋が吸水体を収容し、真空包装袋が外袋の外側から内部を真空状態で被覆するので、吸水体が空気に触れず、吸水性ポリマーを使用した土のう袋の長期保存が可能となる。
【図面の簡単な説明】
【００１５】
【図１】本実施の形態に係る土のう袋の構成を示す断面図である。
【図２】真空包装袋の詳細を示す図である。
【図３】外袋の詳細を示す図である。
【図４】内袋の詳細を示す図である。
【図５】吸水体の詳細を示す図である。
【図６】吸水体による吸水の前後を示す図である。
【図７】土のうの形成工程の一部である真空包装袋の開封工程を示す図である。
【図８】土のうの形成工程の一部である注水工程を示す図である。
【図９】土のうの形成工程の一部である注水工程の後の状態を示す図である。
【図１０】吸水した吸水体を含んだ土のう袋を縛る状態を示す図である。
【図１１】土のう袋の形成工程の一部である吸収体収容工程を示す図である。
【図１２】土のう袋の形成工程の一部である吸引工程を示す図である。
【図１３】土のう袋の形成工程の一部である閉封工程を示す図である。
【発明を実施するための形態】
【００１６】
以下、本発明の実施の形態を、図面を参照して詳細に説明する。
図１は、本実施の形態に係る土のう袋の構成を示す断面図である。
図１に示すように、土のう袋１００は、外袋１１０、内袋１２０、吸水体１３０、および真空包装袋１４０を備えている。
【００１７】
土のう袋１００による土のうの形成は、真空包装袋１４０を開封して内袋１２０および吸水体１３０を内部に備えた外袋１１０を取り出し、吸水体１３０を内部に備えた内袋１２０内に注水することで、注水した水を吸水体１３０が吸水して膨張し固化するものである。
【００１８】
これにより、従来で土のう袋の内部に詰めていた土砂の代わりに、水を吸水して固化した吸水体１３０が担うことができるので、全体として土のうの機能を果たすことが出来るものである。
【００１９】
外袋１１０は、例えば麻やポリエチレン材などで織り込まれた織布による袋であって、
外袋１１０の上部に設けられた開口部の下には、開口部を閉じるための綴じ紐１１１が備えられている。
【００２０】
また外袋１１０の外周面には、土のう袋１００に注水した際に、水を入れる適切な量を示すための注水線１１２が備えられている。作業者は、この注水線１１２を確認しながら注水を行う。
【００２１】
内袋１２０は、例えばビニール製の袋のような不透水性の袋であって、外袋１１０の内側に収容される。本実施の形態では、外袋１１０に内袋１２０を収容する例で示すが、外袋１１０の内側に内袋１２０を圧着させ、一体化することもできる。
【００２２】
吸水体１３０は、注水された水を吸水するためのものであり、例えば吸水性ポリマーである。この吸水体１３０が、注水された水の中で攪拌されながら吸水し、やがて固化する。また吸水体１３０は、細断された吸水性ポリマーシートであってもよい。
【００２３】
真空包装袋１４０は、内袋１２０および吸水体１３０を内部に備えた外袋１１０の外側から、内袋１２０および吸水体１３０を内部に備えた外袋１１０全体を被覆するように設けられ、後に説明する吸引工程を経た後、内袋１２０および吸水体１３０を内部に備えた外袋１１０を完全に真空包装するためものである
【００２４】
真空包装袋１４０は、吸引工程で内部の空気を吸引し、吸引状態のまま密閉するためのチャック部１４１を備える。このように真空包装袋１４０は、内部を真空状態にしたままチャック部１４１により密閉することで、カビの繁殖、害虫による虫食い穴の防止、異臭、腐食などを防止することができる。
【００２５】
なお、真空包装袋１４０で内部を真空状態にする際に、外袋１１０に生じる細かい凹凸面や外袋１１０に付着した吸水体１３０による細かい凹凸面と真空包装袋１４０とが密着することでピンホールと呼ばれる小さな穴があいてしまうことがある。
【００２６】
ピンホールが生じてしまうと、その小さな穴から空気が入ってしまい真空状態を維持することができないので、外袋１１０と真空包装袋１４０との間に、緩衝材１５０を設けるとよい。
【００２７】
緩衝材１５０は、例えば内袋１２０および吸水体１３０を内部に備えた外袋１１０全体を被覆できる十分な大きさの紙材であって、内袋１２０および吸水体１３０を内部に備えた外袋１１０全体を緩衝材１５０で被覆することで、真空状態時に外袋１１０や吸水体１３０に生じる凹凸面と真空包装袋１４０とが直接接触してしまうことを避けることができる。これにより吸引工程におけるピンホールの発生を防止することができる。
【００２８】
図２は、真空包装袋の詳細を示す図である。
図２に示すように、真空包装袋１４０はチャック部１４１を備えている。
真空包装袋１４０は、例えばフィルムにアルミを蒸着させたアルミ蒸着袋であって、内袋１２０および吸水体１３０を内部に備えた外袋１１０を完全に被覆可能、または内袋１２０および吸水体１３０を内部に備えた外袋１１０を折りたたんだ状態で完全に被覆可能な大きさで構成され、三方が閉じられた袋体である。
【００２９】
真空包装袋１４０は、アルミ蒸着袋で構成することによって、空気や光を通すことなく内部に収容した内袋１２０および吸水体１３０を内部に備えた外袋１１０を紫外線や外気から保護することができる。
【００３０】
真空包装袋１４０の上部には開口部が設けられ、開口部の下には開口部を閉じるためのチャック部１４１が設けられている。真空包装袋１４０は、真空包装袋１４０の開口部から内部の空気を吸引することで真空状態にし、真空包装袋１４０の開口部をチャック部１４１で閉封することで、真空包装袋１４０の内部を真空状態のまま密閉することができる。
【００３１】
チャック部１４１は、真空包装袋１４０の開口部に密封チャックを設け、真空包装袋１４０の内部を真空状態にして密封チャックを閉封することで、真空包装袋１４０の内部を真空状態のまま維持することができる。また、シーラーなどを用いて真空包装袋１４０の開口部を熱圧着することで、真空包装袋１４０の内部を真空状態のまま閉封することができる。
【００３２】
真空包装袋１４０は、チャック部１４１を開口することで、真空包装袋１４０の内部に収容した内袋１２０および吸水体１３０を内部に備えた外袋１１０を容易に取り出すことができる。
【００３３】
図３は、外袋の詳細を示す図である。
図３に示すように、外袋１１０は、綴じ紐１１１および注水線１１２を備えている。
外袋１１０は、縦幅６００ｍｍ×横幅４８０ｍｍで形成される麻やポリエチレン材などで織り込まれた織布による袋である。
【００３４】
織布による袋を外袋１１０とすることで、内容物を詰めた土のう袋１００を積み上げた際に、織布の摩擦力によって土のう袋１００の位置ズレや崩壊などを防止することができる。
【００３５】
外袋１１０の上部には開口部が設けられ、開口部の下には開口部を閉じるための綴じ紐１１１が巾着袋のように設けられている。綴じ紐１１１は、外袋１１０に設けられた筒状の紐通し部に綴じ紐１１１が通され、綴じ紐１１１を一方向に引っ張ることで開口部を閉じることができる。
【００３６】
外袋１１０の外周面には、土のう袋１００に注水した際に、水を入れる適切な量を示すための注水線１１２が備えられている。外袋１１０の外周面だけでなく、内周面にも注水線１１２を備えることで、土のう袋１００の内側からも注水量を確認しながら注水することができる。
【００３７】
図４は、内袋の詳細を示す図である。
図４に示すように、内袋１２０は、縦幅６００ｍｍ×横幅５００ｍｍで形成されるビニールのような不透水性の材質による袋である。
【００３８】
内袋１２０は、外袋１１０の内部に収容され、注水した水が外部に漏出することを防ぐことができる。
本発明の実施の形態では、注水線１１２を外袋１１０の外周面に設けたが、注水線１１２を内袋１２０に設けることもできる。
【００３９】
また注水線１１２を外袋１１０の内周面に設け、内袋１２０を透明または半透明の袋を用いることで、土のう袋１００の内側からも注水量を確認しながら注水することができる。
【００４０】
図５は、吸水体の詳細を示す図である。
図５に示すように、吸水体１３０は、粉末状に形成されたＳＡＰ（Superabsorbent polymer）と呼ばれる高吸水性高分子から構成される粉末状の高吸水性樹脂１３１の集合体であって、高吸水性樹脂１３１から構成される吸水体１３０は内袋１２０内に収容される。
【００４１】
吸水体１３０を内袋１２０内への主要する収容量は、吸水体１３０が吸水する吸水量によって適宜調節される。本実施の形態では、高吸水性樹脂１３１で構成される吸水体１３０を内袋１２０内へ３２０ｇ収容する。
【００４２】
高吸水性樹脂１３１は、特に高い水分保持性能を備えており、自重の約３５０倍から６００倍の水を吸収しゲル状態を形成するものである。高吸水性樹脂１３１から構成される吸水体１３０が吸収した水は、多少の圧力をかけても水を放出することなくゲル状態を保持することができる。
【００４３】
高吸水性樹脂１３１は、アクリル塩酸系で３次元に架橋された分子構造により、高吸水性樹脂１３１が水に触れると、カルボキシル基がイオン化し親水性が高まった分子鎖が水に溶けようと広がる。
【００４４】
これと同時にイオン濃度差によって生じる浸透圧で分子鎖間に水が入り込むとともに、マイナスイオン同士であるイオンの反発力によって３次元架橋で制限された領域まで分子鎖が広がり、分子鎖の内部に水が取り込まれた状態になる。
【００４５】
これにより、水に溶けようとして広がる分子鎖の作用と、架橋構造によって分子鎖の広がりを制限する作用とによって、高吸水性樹脂１３１は、速い吸水スピードと、高い吸水力とを得ることができる。
【００４６】
図６は、吸水体による吸水の前後を示す図である。
図６に示すように、吸水体１３０を構成する高吸水性樹脂１３１は、注水された水を分子鎖の内部に取り込むことで吸水し膨張する。
【００４７】
高吸水性樹脂１３１が吸水して膨張することで、吸水体１３０の容積は増加する。これにより水を溜め込んだ吸水体１３０が、土のう袋１００の内部を満たすことができる。
また、高吸水性樹脂１３１が吸水してゲル化することで、吸水体１３０が土のう袋１００内で安定し、土のう袋１００が一定の形状を保持することができる。
【００４８】
図７は、土のうの形成工程の一部である真空包装袋の開封工程を示す図である。
図７に示すように、真空包装袋１４０の内部に真空状態で収容されている内袋１２０および吸水体１３０を内部に備えた外袋１１０を取り出す。
【００４９】
真空包装袋１４０に備えられたチャック部１４１を開封することで、内部に収容された
内袋１２０および吸水体１３０を内部に備えた外袋１１０を容易に取り出すことができる。
【００５０】
内袋１２０および吸水体１３０を内部に備えた外袋１１０は、真空包装袋１４０を開封するまでは真空状態で真空包装袋１４０に収容されており、内袋１２０および吸水体１３０を内部に備えた外袋１１０は空気に触れることがない。
【００５１】
このため吸水体１３０は、空気中の水分を吸水することなく真空状態のまま保存されている。真空包装袋１４０を開封後は、速やかに内袋１２０ないに注水することで、土のうを形成することができる。
【００５２】
図８は、土のうの形成工程の一部である注水工程を示す図である。
図８に示すように、真空包装袋１４０から取り出した土のう袋１００の内部に水２００を注水線１１２まで注水するために、外袋１１０と内袋１２０との開口部を一緒に外側に折り込むことで、外袋１１０と内袋１２０とに折曲部１１３と折曲部１２１とを形成する。
【００５３】
水２００の水は、注水線１１２まで注水することで、約１５リットルの水２００を土のう袋１００の内部に注水することができる。また本実施の形態では、水２００を注水する例として挙げたが、水２００の代わりに泥水をくみ上げて用いてもよい。また尿などの水分を利用することもできる。
【００５４】
このように折曲部１１３および１２１を形成することで、外袋１１０と内袋１２０とが開口部で一体化し、注水しても外袋１１０と内袋１２０とが位置ズレが生じることがない。
【００５５】
また折曲部１１３および１２１を形成することで、ここでは図示しない綴じ紐１１１が外側に折り込まれるので、土のう袋１００の内部で吸水体１３０を攪拌しても、綴じ紐１１１が汚れることがない。このため、綴じ紐１１１が吸水したゲル状の吸水体１３０によって汚れてしまうと土のう袋１００の開口部を縛り上げる際に、縛りづらくなるという問題を解消することができる。
【００５６】
また、真空包装袋１４０から取り出した土のう袋１００の内部に水２００を注水線１１２まで注水することで、粉末状の吸水体１３０は内袋１２０の内部で水２００と攪拌される。
【００５７】
高吸水性樹脂１３１は粉末状に形成されているため、水２００を内袋１２０の内部に注することで水２００と高吸水性樹脂１３１とが自然と攪拌される。このため、高吸水性樹脂１３１の給水時間を短縮することができる。また攪拌されながら高吸水性樹脂１３１が吸水することで、土のう袋１００の吸水体１３０が均一した状態で水２００を吸水することができる。
【００５８】
図９は、土のうの形成工程の一部である注水工程の後の状態を示す図である。
図９に示すように、注水工程を行うと、すぐに吸水体１３０は水２００を吸水して膨張してゲル化する。
【００５９】
注水することで水２００を均等に吸水した高吸水性樹脂１３１による吸水体１３０の体積は増加し、土のう袋１００の内部に吸水した吸水体１３０が安定するため、膨張した吸水体１３０は、高吸水性樹脂１３１を含んだ状態でゲル状になって土のう袋１００の内部で留まる。
【００６０】
図１０は、吸水した吸水体を含んだ土のう袋を縛る状態を示す図である。
図１０に示すように、水２００を吸水した吸水体１３０を内部に含んだ土のう袋１００の綴じ紐１１１を一方向に引っ張りながら開口部を閉じる。
【００６１】
引っ張った綴じ紐１１１は、絞って閉じられた土のう袋１００の口の下を２〜３回廻し、廻した綴じ紐１１１の端を絞った元の綴じ紐１１１に巻き込むように通して強く引っ張り上げることで、土のう袋１００の開口部を閉じることができる。
【００６２】
図１１は、土のう袋の形成工程の一部である吸収体収容工程を示す図である。
図１１に示すように、まず外袋１１０の内部に内袋１２０を収容する。次に内袋の内部に、吸水体１３０を３２０ｇ収容する。なお、３２０ｇの吸水体１３０を収容した内袋１２０を外袋１１０に収容してもよい。
【００６３】
吸水体１３０を内部に収容した外袋１１０および内袋１２０は、吸水体１３０と空気との接触を少しでも少なくするため、外袋１１０および内袋１２０を開封部と平行に半分に折り曲げるとよい。
【００６４】
外袋１１０および内袋１２０を折り曲げた後は、内部に収容した吸水体１３０が平らになるようにする。真空包装袋１４０の内部に複数の外袋１１０および内袋１２０を入れる際は、吸水体１３０が平らにすることで、安定した形状で収容することができる。
【００６５】
図１２は、土のう袋の形成工程の一部である吸引工程を示す図である。
図１２に示すように、内部に吸水体１３０を収容した外袋１１０および内袋１２０は、複数まとめて真空包装袋１４０の内部に収容される。
【００６６】
本実施の形態では、１０枚の吸水体１３０を収容した外袋１１０および内袋１２０を、１枚の真空包装袋１４０に収容したが、収容する外袋１１０および内袋１２０の数は適宜変更される。１枚の真空包装袋１４０に１組の吸水体１３０を収容した外袋１１０および内袋１２０を収容することもできる。
【００６７】
真空包装袋１４０に吸水体１３０を収容した外袋１１０および内袋１２０を収容した後、吸引器３００で真空包装袋１４０の内部にある空気の吸引を行う。吸引器３００による空気の吸引は、９０秒から１２０秒程度吸引を行うことで、真空包装袋１４０内の空気が完全に吸引され、真空包装袋１４０の内部は完全に真空状態とすることができる。
【００６８】
図１３は、土のう袋の形成工程の一部である閉封工程を示す図である。
図１３に示すように、真空包装袋１４０の内部が吸引器３００によって完全に真空状態なった後、真空状態を保ったままチャック部１４１を閉封する。
【００６９】
閉封は真空包装袋１４０の内部に空気が入り込まないように行われ、真空包装袋１４０の開口部に設けられた密封チャックを閉封することで、真空包装袋１４０の内部を真空状態のまま維持することができる。
また、シーラーなどを用いて真空包装袋１４０の開口部を熱圧着することで、真空包装袋１４０の内部を真空状態のまま閉封することができる。
【００７０】
これにより、真空包装袋１４０の内部に真空状態で収容された吸水体１３０を収容した外袋１１０および内袋１２０は、空気に触れることなく状態を維持することができる。このため、吸水体１３０は空気中の水分を吸水することないので、土のう袋にカビの発生、カビによる袋体の腐食などがなくなり、土のう袋１００を長期的に安定した保存することができる。
【００７１】
また、長期保存しても吸水体１３０を収容した外袋１１０および内袋１２０は劣化することがなく、吸水体１３０が素早く見吸水するので、非常時に土のうを容易に形成することができる。
【００７２】
また、真空包装袋１４０の内部を真空状態にして密閉することにより、真空包装袋１４０の内部に収容された吸水体１３０を収容した外袋１１０および内袋１２０は圧縮され、土のう袋１００全体の容積は小さくなる。これにより保管スペースを減少させることができる。
【００７３】
なお、本実施の形態では、吸水体１３０をあらかじめ内袋１２０の内部に収容し、吸水体１３０を収容した外袋１１０および内袋１２０を真空包装袋１４０の内部に収容し、真空包装袋１４０の内部を真空状態にしたが、内袋１２０を収容した外袋１１０と、必要容量にまとめた吸水体１３０とを、真空包装袋１４０の内部で別々に収容した後に、真空包装袋１４０の内部を真空状態して保存することもできる。
【００７４】
この場合、真空包装袋１４０を開封した後、内袋１２０を収容した外袋１１０を取り出し、内袋１２０内に吸水体１３０と水２００とを入れて土のうを形成することもできる。この場合、内袋１２０内に入れる吸水体１３０と水２００とに順位性はなく、内袋１２０に吸水体１３０を先に入れても、と水２００を先に入れてもよい。
【符号の説明】
【００７５】
１００  袋
１１０  外袋
１１１  紐
１１２  注水線
１１３  折曲部
１２０  内袋
１２１  折曲部
１３０  吸水体
１３１  高吸水性樹脂
１４０  真空包装袋
１４１  チャック部
２００  水
３００  吸引器
【図１】
2019082046.tif 000003
【図２】
2019082046.tif 000004
【図３】
2019082046.tif 000005
【図４】
2019082046.tif 000006
【図５】
2019082046.tif 000007
【図６】
2019082046.tif 000008
【図７】
2019082046.tif 000009
【図８】
2019082046.tif 000010
【図９】
2019082046.tif 000011
【図１０】
2019082046.tif 000012
【図１１】
2019082046.tif 000013
【図１２】
2019082046.tif 000014
【図１３】
2019082046.tif 000015